(57)【要約】【課題】シャッターボタンにカバーを装着せずにケーブルレリーズによるシャッターボタンの損傷を抑制することができるカメラブラケットを提供する。【解決手段】ケーブルレリーズ２３を保持するレリーズ座１１をカメラ２２のシャッターボタン２２ａに対向配置する。ケーブルレリーズ２３のケーブル２３２によって駆動され、シャッターボタン２２ａを押圧する押圧部材１２を、ケーブル２３２の先端部の移動方向へ摺動可能にレリーズ座１１に装着する。【選択図】図１
2008033009.tif 000002
【特許請求の範囲】
【請求項１】
カメラのシャッターボタンを押圧するケーブルを備えるケーブルレリーズを保持するとともに、前記カメラのシャッターボタンに対向配置される座部とこの座部に結合され、前記ケーブルを前記シャッターボタンの押圧方向へ案内するガイド穴が形成された軸部とを有する保持部材と、
前記押圧方向へ摺動可能に前記軸部に装着され、前記ガイド穴で案内された前記ケーブルによって駆動されて前記シャッターボタンを押圧する押圧部材と
を備えていることを特徴とするカメラブラケット。
【請求項２】
前記押圧部材の前記ケーブルの先端に接触する面が円錐形であることを特徴とする請求項１記載のカメラブラケット。
【請求項３】
前記押圧部材の前記シャッターボタンに接触する面に滑り止めが貼られていることを特徴とする請求項１又は２記載のカメラブラケット。
【請求項４】
前記ガイド穴の内径は、前記ケーブルの外径よりも僅かに大きいことを特徴とする請求項１〜３のいずれか１項記載のカメラブラケット。
【請求項５】
前記押圧部材の前記保持部材からの脱落を防止する脱落防止部材が前記保持部材に設けられていることを特徴とする請求項１〜４のいずれか１項記載のカメラブラケット。
【発明の詳細な説明】
【技術分野】
【０００１】
この発明は、カメラに例えば望遠鏡等を装着するときに用いられるカメラブラケットに関する。
【背景技術】
【０００２】
従来、この種のカメラブラケットとして、カメラを搭載するための載せ台と、この載せ台に固定された主板と、この主板に固定され、カメラの前面と対向する装着器主環と、主板に固定され、ケーブルレリーズの先端部を保持するレリーズ板とを備えたものが知られている（下記非特許文献参照）。
【０００３】
載せ台にはねじ通し穴が設けられている。
【０００４】
ねじを載せ台のねじ通し穴に通し、そのねじの先端部をワッシャを介してカメラの底板の三脚取付用ねじ穴にねじ込む。その結果、カメラが載せ台の外周面に固定される。
【０００５】
載せ台に搭載されたカメラに接続される望遠鏡は装着器主環によって保持される。
【０００６】
上述のケーブルレリーズのケーブルの先端はほぼ半球状であり、カメラのシャッターボタンも球面状に形成されている。
【０００７】
このため、ケーブルレリーズでシャッターボタンを押したとき、ケーブルの先端がシャッターボタン上を滑り、シャッターボタンが傷付くことがあった。これを防ぐため、従来、弾性部材で形成されたカバーをシャッターボタンに貼り付けていた。
【非特許文献１】２００６年４月２５日発行、ニコンコンパクトデジタルカメラブラケットＦＳＢ−４のパンフレット
【発明の開示】
【発明が解決しようとする課題】
【０００８】
ところが、従来技術ではカメラの外観が損なわれるとともに、カバーが取り付けられた状態のシャッターボタンを指で操作しようとすると操作性が低下するという別の問題が生じた。
【０００９】
この発明はこのような事情に鑑みてなされたもので、その課題はシャッターボタンにカバーを装着せずにケーブルレリーズによるシャッターボタンの損傷を抑制することができるカメラブラケットを提供することである。
【課題を解決するための手段】
【００１０】
前述の課題を解決するためこの発明のカメラブラケットは、カメラのシャッターボタンを押圧するケーブルを備えるケーブルレリーズを保持するとともに、前記カメラのシャッターボタンに対向配置される座部とこの座部に結合され、前記ケーブルを前記シャッターボタンの押圧方向へ案内するガイド穴が形成された軸部とを有する保持部材と、前記押圧方向へ摺動可能に前記軸部に装着され、前記ガイド穴で案内された前記ケーブルによって駆動されて前記シャッターボタンを押圧する押圧部材とを備えていることを特徴とする。
【発明の効果】
【００１１】
この発明によれば、シャッターボタンにカバーを装着せずにケーブルレリーズによるシャッターボタンの損傷を抑制することができる。
【発明を実施するための最良の形態】
【００１２】
以下、この発明の実施の形態を図面に基づいて説明する。
【００１３】
図１はこの発明の第１実施形態に係るカメラブラケットの正面図、図２は図１のＡ部拡大図である。
【００１４】
図１、２に示すように、カメラブラケット１は載せ台３と主板４と装着器主環５とカメラ載置板６と第１位置決め部材７と第２位置決め部材８とを備える。
【００１５】
この実施形態では、載せ台３は２つの大径部３１，３２を有する円筒と１つの小径部３３を有する円筒とを有する。大径部３１にはその径方向へ延びるねじ通し穴（図示せず）が形成されている。ねじ通し穴には固定ねじ３４が挿入されている。固定ねじ３４はカメラ載置板６を大径部３１に固定する。小径部３３は大径部３１と大径部３２とを結合する。
【００１６】
主板４はリング状部４１と平板部４２とを有する。
【００１７】
装着器主環５は３つの止めねじ５１によって主板４のリング状部４１に固定されている。
【００１８】
装着器主環５には、光学機器、例えば、望遠鏡（図示せず）が固定ねじ（図示せず）によって固定される。
【００１９】
カメラ載置板６はほぼ矩形であり、その一端部は固定ねじ３４によって大径部３１に固定されている。カメラ載置板６の中央部には、長孔６２が形成されている。長孔６２にはカメラ固定ねじ６３が通されている。カメラ固定ねじ６３には抜止め用円板６４が装着されている。カメラ載置板６の両端部には凸部６５が形成されている。カメラ固定ねじ６３はカメラ載置板６上に配置されたデジタルカメラ２２の三脚取付け用ねじ穴（図示せず）にねじ込まれる。その結果、カメラ載置板６上にデジタルカメラ２２が固定される。
【００２０】
主板４の左端には第１位置決め部材７が配置され、主板４の右端には第２位置決め部材８が配置されている。
【００２１】
第１位置決め部材７は４種類のデジタルカメラの左側（ファインダー側から見て左側）部分の前面及び側面を位置決めするための４つの面７１〜７４を有している。
【００２２】
第２位置決め部材８はレリーズ板９を介在させて固定ねじ（図示せず）により主板４に固定されている。第２位置決め部材８は突当て面８１，８２を有する。突当て面８１は複数種類のデジタルカメラの前面に接触可能であり、主板４に対してデジタルカメラの前面を位置決めする。突当て面８２は他の複数種類のデジタルカメラの前面に接触し、主板４に対してデジタルカメラの前面を位置決めする。
【００２３】
レリーズ板９はデジタルカメラ２２のシャッターボタン２２ａ（図２参照）に対向する対向片９１を有する。
【００２４】
対向片９１にはレリーズ座（保持部材）１１が取り付けられている。レリーズ座１１はケーブルレリーズ２３の先端部２３１を保持する。レリーズ座１１は座部１１ａと軸部１１ｂとを有する。座部１１ａは対向片９１に形成された孔９１ａにかしめにより固定されている。軸部１１ｂは座部１１ａの中央部に結合されている。軸部１１ｂの先端部には環状溝１１ｅが形成されている。環状溝１１ｅには、弾性材料で形成されたリング（脱落防止部材）１３が装着されている。リング１３の外径は軸部１１ｂの外径よりも大きい。レリーズ座１１の中心部にはねじ穴１１ｃとガイド穴１１ｄとが形成されている。ねじ穴１１ｃにはレリーズ２３の先端部２３１に形成されたレリーズねじ２３１ａがねじ込まれ、レリーズ２３がレリーズ座１１に固定される。ガイド穴１１ｄはケーブルレリーズ２３のケーブル２３２を案内する。
【００２５】
レリーズ座１１には押圧部材１２が装着されている。押圧部材１２は有底円筒状であり、レリーズ座１１の軸部１１ｂによってシャッターボタン押圧方向へ案内される。押圧部材１２の内側底面に円錐面１２ａが形成されている。押圧部材１２はリング１３によって抜け止めされている。押圧部材１２の下端面には弾性材料で形成されたレリーズパッド（滑り止め）１４が貼り付けられている。
【００２６】
ケーブルレリーズ２３の端部の操作ボタン（図示せず）を押圧すると、ケーブルレリーズ２３の先端部のケーブル２３２の突出量が多くなり、ケーブル２３２は押圧部材１２をデジタルカメラ２２のシャッターボタン２２ａに押しつける。このとき、押圧部材１２はレリース座１１の軸部１１ｂによって案内されるので、押圧部材１２がシャッターボタン２２ａ上で滑る虞が少なく、シャッターボタン２２ａの表面が傷つくことを抑制することができる。
【００２７】
また、押圧部材１２の内側底面は円錐形状に形成されているので、仮にケーブル２３２が押圧部材１２の中でぶれても、ケーブル２３は円錐面１２ａの傾斜部に沿って中心部に案内されるので、ケーブル２３のぶれが抑制され、結果的に押圧部材１２のぶれも抑制される。
【００２８】
この実施形態によれば、シャッターボタン２３ａをケーブ２３で直接押圧するのではなく、シャッターボタン押圧方向へ案内される押圧部材１２によって押圧するので、シャッターボタン２３ａの表面が傷付くことを抑制できる。
【００２９】
図３はこの発明の第２実施形態に係るカメラブラケットの正面図、図４は図３のＢ部拡大図である。
【００３０】
この実施形態のレリーズ板２０９は、固定部２９１と立上り部２９２とアーム部２９３とを有する。固定部２９１は固定ねじ２６３によってデジタルカメラ２４の底板２４１に固定されている。立上り部２９２は固定部２９１の一端に結合され、デジタルカメラ２４の側面に沿って延びている。アーム部２９３は立上り部２９２の上端に結合され、その一端部はシャッターボタン２４ａに対向している。
【００３１】
アーム部２９３にはレリーズ座（保持部材）２１１が取り付けられている。レリーズ座２１１は座部２１１ａと軸部２１１ｂと筒状部２１１ｅとを有する。座部２１１ａはアーム部２９３に形成された孔２９３ａにかしめにより固定されている。軸部２１１ｂは座部２１１ａの中央部に結合されている。筒状部２１１ｅは軸部２１１ｂを取り囲むように座部２１１ａに結合されている。筒状部２１１ｅの外周面にはねじ２１１ｆが形成されている。レリーズ座２１１の中心部にはねじ穴２１１ｃとガイド穴２１１ｄとが形成されている。ねじ穴２１１ｃにはレリーズ２３の先端部２３１に形成されたレリーズねじ２３１ａがねじ込まれる。ガイド穴２１１ｄはケーブルレリーズ２３のケーブル２３２を案内する。
【００３２】
軸部２１１ｂには押圧部材２１２が摺動可能に設けられている。押圧部材２１２の上端部にはねじ２１２ａが形成されている。押圧部材２１２の下端部には円板状部２１２ｂが形成されている。円板状部２１２ｂには弾性材料で形成されたレリーズパッド（滑り止め）２１４が貼り付けられている。押圧部材２１２の内側底面には円錐面２１２ｃが形成されている。
【００３３】
レリーズ座２１１の筒状部２１１ｅには抜け止め部材（脱落防止部材）２１５が装着されている。抜け止め部材２１５の上端部にはねじ穴２１５ａが形成されている。ねじ穴２１５ａは筒状部２１１ｅのねじ２１１ｆと噛み合う。抜け止め部材２１５の底部にはねじ穴２１５ｂが形成されている。ねじ穴２１５ｂに押圧部材２１２のねじ２１２ａを噛合可能である。したがって、抜け止め部材２１５の外部からねじ２１２ａをねじ穴２１５ｂにねじ込んでいくと、ねじ２１２ａは抜け止め部材２１５内に収容され（図４の状態）、押圧部材２１２の抜け止めがなされる。
【００３４】
第２実施形態によれば、第１実施形態と同様の効果を得ることができる。
【００３５】
また、第２実施形態は第１実施形態に比べ、軸部２１１ｂの軸方向の長さをより長くできる。そのため、ケーブル２３２の案内距離が長くなるので、よりぶれの少ないケーブル２３２の案内ができる。
【００３６】
なお、上述の実施形態では、押圧部材１２，２１２にレリーズパッド１４，２１４を貼り付けてあるが、押圧部材１２，２１２にレリーズパッド１４，２１４を貼らなくとも構わない。
【００３７】
また、上述の実施形態では、押圧部材１２，２１２に内側底面に円錐面１２ａ，２１２ｃを形成したが、必ずしも円錐面１２ａ、２１２ｃを形成する必要はない。
【図面の簡単な説明】
【００３８】
【図１】図１はこの発明の第１実施形態に係るカメラブラケットの正面図である。
【図２】図２は図１のＡ部拡大図である。
【図３】図３はこの発明の第２実施形態に係るカメラブラケットの正面図である。
【図４】図４は図３のＢ部拡大図である。
【符号の説明】
【００３９】
１１，２１１：レリーズ座、１１ａ：座部、１１ｂ：軸部、１１ｄ：ガイド穴、１２，２１２：押圧部材、１２ａ，２１２ｃ：円錐面、１３：リング（脱落防止部材）、２１５：抜け止め部材（脱落防止部材）、２３：レリーズ、２３２：ケーブル。
【図１】
2008033009.tif 000003
【図２】
2008033009.tif 000004
【図３】
2008033009.tif 000005
【図４】
2008033009.tif 000006